(57)【特許請求の範囲】
【請求項１】
基板に取り付けられるコネクタであって、
枠状である固定インシュレータと、
前記固定インシュレータの内側に配置される可動インシュレータと、
他のコネクタと電気的に導通する複数のコンタクトと、を有するコネクタであって、
前記コンタクトは、前記固定インシュレータと前記可動インシュレータとを連結させるとともに前記可動インシュレータを前記他のコネクタとの挿抜方向に垂直な方向に可動可能にする弾性変形部と、前記固定インシュレータを保持する第１保持部と、前記可動インシュレータを保持する第２保持部と、前記第２保持部から延出して前記弾性変形部と連結する第２延出部と、を有し、
前記弾性変形部は、直線方向に延びる直線部と、複数の前記コンタクトが配列される方向であるコンタクト配列方向に平行な軸線の軸回り方向に屈曲する屈曲部とを有し、
前記屈曲部は、前記軸線に直交する平面内での幅方向の寸法が、前記直線部の前記幅方向の寸法よりも小さく、
前記直線部は、前記基板に平行に配置される平行部を含み、
前記屈曲部は、第３屈曲部と、第４屈曲部と、第１屈曲部と、を含み、
前記第３屈曲部は、前記平行部のうち前記第１保持部側の端部において前記基板から離れる方向に屈曲し、
前記第４屈曲部は、前記平行部のうち前記第２保持部側の端部において前記基板から離れる方向に屈曲し、
前記第２延出部は、前記第２保持部から前記挿抜方向に垂直な平面内において前記コンタクト配列方向に直交する方向であるコネクタ幅方向に平行に延出し、
前記第１屈曲部は、前記第２延出部から前記基板側に屈曲する
コネクタ。
【請求項２】
前記屈曲部は、前記幅方向の内周が、前記直線部のうち前記内周に接続される辺を接線とし当該辺から前記内周側に延びて前記屈曲部に沿って湾曲する仮想円弧線に対して前記幅方向の外周側に凹んでいる請求項１に記載のコネクタ。
【請求項３】
前記コンタクトは、
前記第２保持部から前記第１保持部に向けて前記コンタクト配列方向に直交する方向に延出する接続部の第１延出部
を有する請求項１又は請求項２に記載のコネクタ。
【請求項４】
前記第１延出部及び前記第２延出部は、同一方向に延出する請求項３に記載のコネクタ。
【請求項５】
前記屈曲部は、前記幅方向の内周の形状が円弧状である請求項１から請求項４のいずれか一項に記載のコネクタ。
【発明の詳細な説明】
【技術分野】
【０００１】  本発明は、コネクタに関する。
【背景技術】
【０００２】  異なる基板同士を接続するコネクタが知られている。この種のコネクタは、一の基板に取り付けられる第１コネクタと、他の基板に取り付けられる第２コネクタとを嵌合させる構成である。第１コネクタは、一の基板の基板面に固定された固定インシュレータと、固定インシュレータに対して移動可能に設けられた可動インシュレータと、一の基板に実装され、かつ固定インシュレータ及び可動インシュレータに保持され、一方向に並んで配置された複数のコンタクトとを有する。【０００３】  複数のコンタクトは、それぞれ弾性変形可能な弾性変形部を有する。第１コネクタは、当該弾性変形部が弾性変形することにより、可動インシュレータが固定インシュレータに対して移動するようになっている。これにより、第１コネクタに第２コネクタを嵌合する際の位置ずれを吸収し、嵌合後の位置ずれを許容することが可能となっている。
【先行技術文献】
【特許文献】
【０００４】
【特許文献１】特開２０１４−６７７０６号公報
【発明の概要】
【発明が解決しようとする課題】
【０００５】  上記のコネクタにおいては、実装される基板上の占有面積を小さくするなどの小型化が求められている。固定インシュレータ及び可動インシュレータを小型化する場合、複数のコンタクトが並ぶコンタクト配列方向については、コンタクトの数が決まっているため、寸法を小さくすることに制限がある。したがって、コンタクト配列方向に直交するコネクタ幅方向について、寸法を小さくすることが考えられる。【０００６】  コネクタ幅方向の寸法を小さくすると、コネクタ幅方向についての可動インシュレータの移動量が小さくなる。このため、コンタクトの弾性変形部を全体的に細くかつ長く形成することで柔軟性を持たせ、コネクタ幅方向についての可動インシュレータの移動量を確保している。【０００７】  このようなコネクタにおいては、コンタクトの弾性変形部における挙動の安定化が求められている。
【課題を解決するための手段】
【０００８】  １つの態様に係るコネクタは、枠状である固定インシュレータと、前記固定インシュレータの内側に配置される可動インシュレータと、他のコネクタと電気的に導通する複数のコンタクトと、を有するコネクタであって、前記コンタクトは、前記固定インシュレータと前記可動インシュレータとを連結させるとともに前記可動インシュレータを前記他のコネクタとの挿抜方向に垂直な方向に可動可能にする弾性変形部を有し、前記弾性変形部は、直線方向に延びる直線部と、複数の前記コンタクトが配列される方向であるコンタクト配列方向に平行な軸線の軸回り方向に屈曲する屈曲部とを有し、前記屈曲部は、前記軸線に直交する平面内での幅方向の寸法が、前記直線部の前記幅方向の寸法よりも小さい。【０００９】  前記屈曲部は、前記幅方向の内周が、前記直線部のうち前記内周に接続される辺を接線とし当該辺から前記内周側に延びて前記屈曲部に沿って湾曲する仮想円弧線に対して前記幅方向の外周側に凹んでいてもよい。【００１０】  前記コンタクトは、前記固定インシュレータを保持する第１保持部と、前記可動インシュレータを保持する第２保持部と、前記第２保持部から前記第１保持部に向けて前記コンタクト配列方向に直交する方向に延出する接続部の第１延出部と、前記第２保持部から延出して前記弾性変形部と連結する第２延出部と、を有してもよい。【００１１】  前記第１延出部及び前記第２延出部は、同一方向に延出してもよい。【００１２】  前記屈曲部は、前記幅方向の内周の形状が円弧状であってもよい。
【発明の効果】
【００１３】  コネクタは、コンタクトの弾性変形部が直線部及び屈曲部を有し、コンタクト配列方向に直交する平面内において、屈曲部の幅方向の寸法が直線部の幅方向の寸法よりも小さいため、屈曲部では直線部よりも弾性変形しやすくなる。このため、弾性変形部は、屈曲部が直線部よりも大きく弾性変形する。これにより、屈曲部において弾性変形量を確保することができ、かつ、直線部において弾性変形部の形状を安定させることができる。これにより、弾性変形部において弾性変形する部位と形状を安定させる部位とが形成されるため、コンタクトの弾性変形部の挙動が安定したコネクタを得ることができる。
【図面の簡単な説明】
【００１４】
【図１】図１は、実施形態に係るコネクタの一例を示す斜視図である。
【図２】図２は、実施形態に係るコネクタの一例を示す斜視図である。
【図３】図３は、実施形態に係るコネクタの一例を示す分解斜視図である。
【図４】図４は、実施形態に係る第１コネクタの一例を示す図である。
【図５】図５は、実施形態に係る第２コネクタの一例を示す図である。
【図６】図６は、実施形態に係るコネクタの一例を示す断面図である。
【図７】図７は、実施形態に係るコンタクトの一例を示す図である。
【図８】図８は、実施形態に係る第１コネクタと第２コネクタとを対向させた状態を示す図である。
【図９】図９は、実施形態に係るコンタクトが弾性変形する状態を示す図である。
【図１０】図１０は、実施形態に係るコンタクトが弾性変形する状態を示す図である。
【発明を実施するための形態】
【００１５】  以下、本発明に係るコネクタの実施形態を図面に基づいて説明する。なお、この実施形態によりこの発明が限定されるものではない。また、下記実施形態における構成要素には、当業者が置換可能かつ容易なもの、あるいは実質的に同一のものが含まれる。
【００１６】  図１及び図２は、実施形態に係るコネクタ１００の一例を示す斜視図である。図３は、コネクタ１００の一例を示す分解斜視図である。図１から図３に示すように、コネクタ１００は、第１コネクタ（コネクタ）１０と、第２コネクタ（他のコネクタ）２０とを備える。なお、図１及び図２は、第１コネクタ１０と第２コネクタ２０とが嵌合された状態を示している。実施形態では、第１コネクタ１０及び第２コネクタ２０を有する構成をコネクタとしているが、第１コネクタ１０及び第２コネクタ２０のそれぞれについても１つのコネクタとして構成される。図４は、第１コネクタ１０の一例を示す図である。図４は、第２コネクタ２０との嵌合面側から見た第１コネクタ１０を示している。図５は、第２コネクタ２０の一例を示す図である。図５は、第１コネクタ１０との嵌合面側から見た第２コネクタ２０を示している。
【００１７】  第１コネクタ１０は、第１基板１０１に取り付けられる。第１コネクタ１０は、固定インシュレータ１１と、金具１２と、可動インシュレータ１３と、コンタクト１４とを有する。
【００１８】  固定インシュレータ１１は、例えば樹脂材料を用いて、矩形の枠状に形成される。固定インシュレータ１１は、第１基板１０１の基板面１０１ａとの間に間隔を空けて配置される。固定インシュレータ１１は、壁部３１及び壁部３２と、梁部３３及び梁部３４を有する。
【００１９】  壁部３１及び壁部３２は、コンタクト配列方向Ｄ１に平行に配置される。なお、コンタクト配列方向Ｄ１は、第１コネクタ１０において複数のコンタクト１４が配列される方向である。壁部３１及び壁部３２は、コネクタ幅方向Ｄ２の両端に配置される。なお、コネクタ幅方向Ｄ２は、第１コネクタ１０と第２コネクタ２０とが挿抜される挿抜方向Ｄ３に垂直な平面内において、コンタクト配列方向Ｄ１に直交する方向である。壁部３１は、案内面３１ｂを備える。壁部３２は、案内面３２ｂを備える。
【００２０】  梁部３３及び梁部３４は、コネクタ幅方向Ｄ２に平行である。梁部３３は、コンタクト配列方向Ｄ１の一端に配置される。梁部３４は、コンタクト配列方向Ｄ１の他端に配置される。梁部３３と基板面１０１ａとの間隔及び梁部３４と基板面１０１ａとの間隔が、壁部３１と基板面１０１ａとの間隔及び壁部３２と基板面１０１ａとの間隔に比べて大きくなっている。梁部３３は、基板面１０１ａに対向する支持面３３ａを有する。梁部３４は、基板面１０１ａに対向する支持面３４ａを有する。支持面３３ａ及び支持面３４ａは、挿抜方向Ｄ３に垂直である。
【００２１】  金具１２は、板状である。金具１２は、実装部１２ａと、インシュレータ係止部１２ｂとを有する。実装部１２ａは、金具１２の両端に配置され、基板面１０１ａ側に折り曲げられている。実装部１２ａは、基板面１０１ａに実装される。インシュレータ係止部１２ｂは、挿抜方向Ｄ３に平行な部分である。インシュレータ係止部１２ｂは、固定インシュレータ１１に係止される。
【００２２】  可動インシュレータ１３は、例えば樹脂材料を用いて形成される。可動インシュレータ１３は、固定インシュレータ１１の内側に配置される。可動インシュレータ１３は、基板面１０１ａとの間に間隔を空けて配置される。可動インシュレータ１３は、コンタクト保持部４１と、係止部４３及び係止部４４とを有する。
【００２３】  コンタクト保持部４１は、コンタクト配列方向Ｄ１に平行に延びている。コンタクト保持部４１は、複数のコンタクト１４を保持する。コンタクト保持部４１は、コンタクト１４を保持する溝部４１ｂ（図３参照）を有する。溝部４１ｂは、コンタクト保持部４１のうちコネクタ幅方向Ｄ２の両側の端面に配置される。溝部４１ｂは、コンタクト１４の数に応じて、コンタクト配列方向Ｄ１に所定の間隔で並んで配置される。
【００２４】  コンタクト保持部４１は、固定インシュレータ１１の壁部３１及び壁部３２に対して、コネクタ幅方向Ｄ２に間隔を空けた状態で配置される。また、コンタクト保持部４１は、固定インシュレータ１１の梁部３３及び梁部３４に対して、挿抜方向Ｄ３に突出した位置に配置される。コンタクト保持部４１と基板面１０１ａとの間には、空間部４２が設けられる。空間部４２は、治具等を用いてコンタクト１４を溝部４１ｂに挿入する際のスペースとして用いられる。
【００２５】  係止部４３は、コンタクト保持部４１のコンタクト配列方向Ｄ１の一端に配置される。係止部４４は、コンタクト保持部４１のコンタクト配列方向Ｄ１の他端に配置される。係止部４３は、固定インシュレータ１１の梁部３３と基板面１０１ａとの間に挿入される。係止部４３は、梁部３３の支持面３３ａに当接される。係止部４４は、固定インシュレータ１１の梁部３４と基板面１０１ａとの間に挿入される。係止部４４は、梁部３４の支持面３４ａに当接される。係止部４３が支持面３３ａに当接され、係止部４４が支持面３４ａに当接されることにより、可動インシュレータ１３の挿抜方向Ｄ３への移動が規制される。つまり、可動インシュレータ１３が固定インシュレータ１１に対して抜けないように保持される。
【００２６】  複数のコンタクト１４は、コンタクト配列方向Ｄ１に並んで配置される。コンタクト１４は、例えば金属部材に打ち抜き加工を施すことで成形される。打ち抜き加工によってコンタクト１４を形成することにより、コンタクト配列方向Ｄ１からコンタクト１４を見た場合において、幅方向の寸法を場所によって変えることが可能である。なお、幅方向は、コンタクト配列方向Ｄ１に直交する平面内での幅方向である。
【００２７】  図６は、実施形態に係るコネクタ１００の一例を示す断面図である。図６は、図１においてＡ−Ａ線を含みコンタクト配列方向Ｄ１に直交する平面でコネクタ１００を切断した場合の断面構成を示している。図６に示すように、２つのコンタクト１４は、コネクタ幅方向Ｄ２に並んで配置され、コネクタ幅方向Ｄ２について対称に配置される。当該２つのコンタクト１４は、コネクタ幅方向Ｄ２について対称に配置されること以外については、同一の構成である。コンタクト１４は、実装部６１と、第１保持部６２と、第２保持部６３と、弾性変形部６４と、接続部６５とを有する。コンタクト１４は、実装部６１、第１保持部６２、弾性変形部６４、第２保持部６３及び接続部６５がこの順で接続されている。
【００２８】  実装部６１は、基板面１０１ａに実装される。第１保持部６２は、実装部６１に接続される。第１保持部６２は、基部６２ａと、インシュレータ係止部６２ｂとを有する。インシュレータ係止部６２ｂは、基部６２ａから突出して設けられ、固定インシュレータ１１に係止する。第１保持部６２は、インシュレータ係止部６２ｂが固定インシュレータ１１に係止した状態で保持される。
【００２９】  第２保持部６３は、可動インシュレータ１３のコンタクト保持部４１に係止して保持される。第２保持部６３は、基部６３ａと、インシュレータ係止部６３ｂ、６３ｃとを有する。インシュレータ係止部６３ｂ、６３ｃは、基部６３ａから突出して設けられ、コンタクト保持部４１に係止する。第２保持部６３は、インシュレータ係止部６３ｂ、６３ｃがコンタクト保持部４１に係止した状態で保持される。
【００３０】  弾性変形部６４は、弾性変形可能であり、第１保持部６２と第２保持部６３とを接続する。接続部６５は、第２保持部６３に接続され、第２コネクタ２０側のコンタクト２４に接触する。
【００３１】  図７は、実施形態に係るコンタクト１４の一例を示す図である。図７は、図６のうちコンタクト１４を抜き出して拡大して示したものである。図７に示すように、弾性変形部６４は、垂直部６４ａと、屈曲部（第２屈曲部）６４ｂと、傾斜部６４ｃと、屈曲部６４ｄと、戻り部６４ｅと、屈曲部（第３屈曲部）６４ｆと、平行部６４ｇと、屈曲部（第４屈曲部）６４ｈと、屈曲部（第１屈曲部）６４ｉと、第２延出部６４ｊと、を有する。
【００３２】  垂直部６４ａは、第１保持部６２に接続される。垂直部６４ａは、基板面１０１ａから離れる方向に向けて挿抜方向Ｄ３に直線状に延びる直線部である。垂直部６４ａの挿抜方向Ｄ３についての寸法ｈ１は、接続部６５の第１延出部６５ａ（後述）と基板面１０１ａとの距離ｈ２にほぼ等しくなっている。したがって、コンタクト配列方向Ｄ１に直交する平面内における弾性変形部６４の長さが確保される。
【００３３】  屈曲部６４ｂは、垂直部６４ａから第２保持部６３側に向けて、コンタクト配列方向Ｄ１に平行な軸線の軸回り方向に屈曲する。屈曲部６４ｂは、コンタクト配列方向Ｄ１に垂直な平面内において、内周６６ｂが円弧状である。内周６６ｂは、仮想円弧線Ｃｂに対して幅方向の外周６７ｂ側に凹んでいる。なお、仮想円弧線Ｃｂは、垂直部６４ａのうち内周６６ｂに接続される辺６６ａと、傾斜部６４ｃのうち内周６６ｂに接続される辺６６ｃとを接線とし、辺６６ａ及び辺６６ｃから内周６６ｂ側に延びて屈曲部６４ｂに沿って湾曲する仮想の円弧線である。
【００３４】  傾斜部６４ｃは、屈曲部６４ｂと屈曲部６４ｄとを接続する。傾斜部６４ｃは、屈曲部６４ｂからコネクタ幅方向Ｄ２に対して基板面１０１ａ側に傾斜した方向に直線状に延びる直線部である。傾斜部６４ｃは、屈曲部６４ｄ側の端部と基板面１０１ａとの距離ｈ３が、接続部６５の第１延出部６５ａ（後述）と基板面１０１ａとの距離ｈ２よりも短くなっている。
【００３５】  屈曲部６４ｄは、傾斜部６４ｃから基板面１０１ａ側に向けて、コンタクト配列方向Ｄ１に平行な軸線の軸回り方向に屈曲する。屈曲部６４ｄは、コンタクト配列方向Ｄ１から見た場合において、内周６６ｄが円弧状である。内周６６ｄは、仮想円弧線Ｃｄに対して幅方向の外周６７ｄ側に凹んでいる。なお、仮想円弧線Ｃｄは、傾斜部６４ｃのうち内周６６ｄに接続される辺６６ｃと、戻り部６４ｅのうち内周６６ｄに接続される辺６６ｅとを接線とし、辺６６ｃ及び辺６６ｅから内周６６ｄ側に延びて屈曲部６４ｄに沿って湾曲する仮想の円弧線である。
【００３６】  戻り部６４ｅは、屈曲部６４ｄと屈曲部６４ｆとを接続する。戻り部６４ｅは、屈曲部６４ｄから第１保持部６２側に向けて直線状に延びる直線部である。戻り部６４ｅは、屈曲部６４ｄから基板面１０１ａ側に延びている。
【００３７】  屈曲部６４ｆは、戻り部６４ｅから第２保持部６３側に向けて、コンタクト配列方向Ｄ１に平行な軸線の軸回り方向に屈曲する。屈曲部６４ｆは、平行部６４ｇを基準とした場合、平行部６４ｇのうちコネクタ幅方向Ｄ２の一方の端部、例えば第１保持部６２側の端部において基板面１０１ａから離れる方向に屈曲する。屈曲部６４ｆは、コンタクト配列方向Ｄ１から見た場合において、内周６６ｆが円弧状である。内周６６ｆは、仮想円弧線Ｃｆに対して幅方向の外周６７ｆ側に凹んでいる。なお、仮想円弧線Ｃｆは、戻り部６４ｅのうち内周６６ｆに接続される辺６７ｅと、平行部６４ｇのうち内周６６ｆに接続される辺６６ｇとを接線とし、辺６７ｅ及び辺６６ｇから内周６６ｆ側に延びて屈曲部６４ｆに沿って湾曲する仮想の円弧線である。
【００３８】  平行部６４ｇは、屈曲部６４ｆと屈曲部６４ｈとを接続する。平行部６４ｇは、屈曲部６４ｆから屈曲部６４ｈにかけてコネクタ幅方向Ｄ２に平行に延びる直線部である。平行部６４ｇは、挿抜方向Ｄ３に直交する方向に平行であり、基板面１０１ａに平行に配置される。
【００３９】  屈曲部６４ｈは、平行部６４ｇのうちコネクタ幅方向Ｄ２の他方の端部、例えば第２保持部６３側の端部において基板面１０１ａから離れる方向に屈曲する。屈曲部６４ｈは、コンタクト配列方向Ｄ１から見た場合において、内周６６ｈが円弧状である。内周６６ｈは、仮想円弧線Ｃｈに対して幅方向の外周６７ｈ側に凹んでいる。なお、仮想円弧線Ｃｈは、平行部６４ｇのうち内周６６ｈに接続される辺６６ｇを接線とし、辺６６ｇから内周６６ｈ側に延びて屈曲部６４ｈに沿って湾曲する仮想の円弧線である。仮想円弧線Ｃｈは、屈曲部６４ｉの幅方向の外周６７ｉに滑らかに接続される。
【００４０】  屈曲部６４ｉは、屈曲部６４ｈから第２保持部６３側に向けて、コンタクト配列方向Ｄ１に平行な軸線の軸回り方向に屈曲する。屈曲部６４ｉは、第２延出部６４ｊを基準とした場合、第２延出部６４ｊから基板面１０１ａ側に屈曲する。屈曲部６４ｉは、コンタクト配列方向Ｄ１から見た場合において、内周６６ｉが円弧状である。
【００４１】  屈曲部６４ｂの幅方向の寸法（以下、「幅」と表記する）Ｄｂ、屈曲部６４ｄの幅Ｄｄ、屈曲部６４ｆの幅Ｄｆ、屈曲部６４ｈの幅Ｄｈ及び屈曲部６４ｉの幅Ｄｉは、それぞれ、垂直部６４ａの幅Ｄａ、傾斜部６４ｃの幅Ｄｃ、戻り部６４ｅの幅Ｄｅ及び平行部６４ｇの幅Ｄｇよりも小さくなっている。このため、弾性変形部６４は、直線部である垂直部６４ａ、傾斜部６４ｃ、戻り部６４ｅ及び平行部６４ｇよりも、屈曲部６４ｂ、屈曲部６４ｄ、屈曲部６４ｆ、屈曲部６４ｈ及び屈曲部６４ｉの方が、弾性変形しやすくなっている。
【００４２】  第２延出部６４ｊは、第２保持部６３から第１保持部６２側に向けてコネクタ幅方向Ｄ２に平行に延出する。第２延出部６４ｊは、第２保持部６３のうち基板面１０１ａ側の端部に設けられる。
【００４３】  接続部６５は、第１延出部６５ａと、屈曲部６５ｂと、先端部６５ｃとを有する。第１延出部６５ａは、第２保持部６３から第１保持部６２側に向けてコネクタ幅方向Ｄ２に平行に延出する。したがって、第１延出部６５ａは、第２保持部６３から弾性変形部６４の第２延出部６４ｊと同一方向に延出する。屈曲部６５ｂは、第１延出部６５ａに接続され、基板面１０１ａから離れる方向に向けて屈曲する。先端部６５ｃは、屈曲部６５ｂから挿抜方向Ｄ３に平行かつ基板面１０１ａから離れる方向に延びた部分の先端である。
【００４４】  第２コネクタ２０は、第２基板１０２に取り付けられる。第２コネクタ２０は、インシュレータ２１と、金具２２と、コンタクト２４とを有する。インシュレータ２１は、例えば樹脂材料を用いて、矩形状に形成される。インシュレータ２１は、第２基板１０２の基板面１０２ａとの間に間隔を空けて配置される。インシュレータ２１は、コンタクト保持部５１と、挿入部５２とを有する。
【００４５】  コンタクト保持部５１は、基板面１０２ａに対向して配置される。コンタクト保持部５１は、コンタクト配列方向Ｄ１に平行に延びている。コンタクト保持部５１は、複数のコンタクト２４を保持する。コンタクト保持部５１は、コンタクト２４を保持する溝部５１ｂ（図３参照）を有する。複数の溝部５１ｂは、コンタクト２４の数に応じて、コンタクト配列方向Ｄ１に所定の間隔で並んで配置される。隣接する２つの溝部５１ｂの間隔は、第１コネクタ１０側のコンタクト保持部４１における隣接する２つの溝部４１ｂの間隔と同一である。
【００４６】  挿入部５２は、コンタクト保持部５１と一体で設けられる。挿入部５２は、環状に形成される。挿入部５２は、第２コネクタ２０を第１コネクタ１０に嵌合した場合、可動インシュレータ１３のコンタクト保持部４１に嵌合する位置に配置される。
【００４７】  金具２２は、例えば板状である。金具２２は、実装部２２ａと、インシュレータ係止部２２ｂとを有する。実装部２２ａは、インシュレータ２１の両端に配置され、基板面１０２ａに平行に配置される。実装部２２ａは、基板面１０２ａに実装される。インシュレータ係止部２２ｂは、実装部２２ａに対してインシュレータ２１の内側に折り曲げられている。インシュレータ係止部２２ｂは、インシュレータ２１に係止して保持される。
【００４８】  複数のコンタクト２４は、コンタクト配列方向Ｄ１に並んで配置される。コンタクト２４は、例えば金属部材に打ち抜き加工を施すことで成形される。なお、コンタクト２４の成形方法については、打ち抜き加工に限定するものではなく、例えば金属部材に曲げ加工を施すことで成形するものであってもよい。
【００４９】  コンタクト２４は、実装部２４ａと、係止部２４ｂと、接続部２４ｃを有する。実装部２４ａは、基板面１０２ａに実装される。係止部２４ｂは、インシュレータ２１のコンタクト保持部５１に係止して保持される。接続部２４ｃは、挿入部５２の内周に配置される。接続部２４ｃは、第１コネクタ１０のコンタクト１４に接触する。
【００５０】  図８は、第１コネクタ１０と第２コネクタ２０とを対向させた状態を示す図である。第１コネクタ１０と第２コネクタ２０とを嵌合する場合、図８に示すように、第１基板１０１の基板面１０１ａと第２基板１０２の基板面１０２ａとを対向させる。この状態から、第１基板１０１と第２基板１０２とを相対的に移動させて第１コネクタ１０と第２コネクタ２０との位置合わせを行う。
【００５１】  位置合わせの際、例えば第１コネクタ１０の可動インシュレータ１３と第２コネクタ２０のインシュレータ２１とを当接させ、基板面１０１ａ及び基板面１０２ａに平行な方向に摺動させる。位置合わせにより、インシュレータ２１の挿入部５２が第１コネクタ１０側の可動インシュレータ１３に嵌合される。この嵌合により、第２コネクタ２０側のコンタクト２４の接続部２４ｃが第１コネクタ１０側のコンタクト１４の接続部６５（先端部６５ｃ）に接触する。これにより、コンタクト１４とコンタクト２４とが電気的に接続される。
【００５２】  挿入部５２を挿入する際、又は挿入した後において、第１基板１０１と第２基板１０２との間にコネクタ幅方向Ｄ２に相対的に力が加えられた場合、コンタクト１４の弾性変形部６４が弾性変形し、可動インシュレータ１３がコネクタ幅方向Ｄ２に移動する。このため、例えば第１コネクタ１０の可動インシュレータ１３と第２コネクタ２０のインシュレータ２１とがコネクタ幅方向Ｄ２にずれた状態で嵌合される場合には、可動インシュレータ１３がコネクタ幅方向Ｄ２に移動することで、第１コネクタ１０と第２コネクタ２０との位置関係が復元される。
【００５３】  可動インシュレータ１３がコネクタ幅方向Ｄ２に移動することにより、コンタクト１４の弾性変形部６４が弾性変形する。例えば、可動インシュレータ１３が固定インシュレータ１１の壁部３１側に移動する場合、壁部３１側のコンタクト１４は、第２保持部６３が第１保持部６２に近づく方向に弾性変形する。一方、壁部３２側のコンタクト１４は、第２保持部６３が第１保持部６２から遠ざかる方向に弾性変形する。
【００５４】  図９は、コンタクト１４が弾性変形する状態を示す図であり、第２保持部６３が第１保持部６２に近づく場合について示している。図９に示すように、第２保持部６３が第１保持部６２に近接する場合、第２延出部６４ｊを介して弾性変形部６４が第１保持部６２側に押される。この押圧力により、屈曲部６４ｂ、屈曲部６４ｄ、屈曲部６４ｆ、屈曲部６４ｈ及び屈曲部６４ｉは、それぞれ屈曲量が大きくなるように、つまり屈曲部の両端の距離が小さくなるように変形する。
【００５５】  一方、直線部については、垂直部６４ａが屈曲部６４ｂとの接続部分において第１保持部６２側にわずかに弾性変形するが、傾斜部６４ｃ、戻り部６４ｅ及び平行部６４ｇについてはほとんど弾性変形しない。また、傾斜部６４ｃは、屈曲部６４ｂ及び屈曲部６４ｄの弾性変形により、屈曲部６４ｄ側が基板面１０１ａに近づく方向に傾斜する。すなわち、接続部６５の屈曲部６５ｂを基板面１０１ａ側に避けるように傾斜する。このため、傾斜部６４ｃが接続部６５に接触することが回避される。戻り部６４ｅは、屈曲部６４ｄ及び屈曲部６４ｆの弾性変形により、傾斜角度が大きくなる。平行部６４ｇは、屈曲部６４ｆ及び屈曲部６４ｈの弾性変形により、コネクタ幅方向Ｄ２に平行な状態を維持したまま第１保持部６２側に移動する。このため、平行部６４ｇが基板面１０１ａに接触することが回避される。
【００５６】  図１０は、コンタクト１４が弾性変形する状態を示す図であり、第２保持部６３が第１保持部６２から離れる場合について示している。図１０に示すように、第２保持部６３が第１保持部６２から離れる場合、第２延出部６４ｊを介して弾性変形部６４が第１保持部６２から離れる方向に引っ張られる。この引っ張り力により、屈曲部６４ｂ、屈曲部６４ｄ、屈曲部６４ｆ、屈曲部６４ｈ及び屈曲部６４ｉは、それぞれ屈曲量が小さくなるように、つまり屈曲部の両端の距離が大きくなるように変形する。
【００５７】  一方、直線部については、垂直部６４ａが屈曲部６４ｂとの接続部分において第２保持部６３側にわずかに弾性変形するが、傾斜部６４ｃ、戻り部６４ｅ及び平行部６４ｇについてはほとんど弾性変形しない。また、傾斜部６４ｃは、屈曲部６４ｂ及び屈曲部６４ｄの弾性変形により、コネクタ幅方向Ｄ２に対する傾斜角度が浅くなる。戻り部６４ｅは、屈曲部６４ｄ及び屈曲部６４ｆの弾性変形により、基板面１０１ａに対してほぼ垂直になる。平行部６４ｇは、屈曲部６４ｆ及び屈曲部６４ｈの弾性変形により、コネクタ幅方向Ｄ２に平行な状態を維持したまま第２保持部６３側に移動する。このため、平行部６４ｇが基板面１０１ａに接触することが回避される。
【００５８】  一方、第１コネクタ１０から第２コネクタ２０を抜去する場合、第１基板１０１及び第２基板１０２に対して、互いに引き離す方向に力を加える。この力により、コンタクト保持部４１が第２コネクタ２０側に引っ張られ、係止部４３が固定インシュレータ１１の支持面３３ａに当接し、係止部４４が固定インシュレータ１１の支持面３４ａに当接する。このため、可動インシュレータ１３は、固定インシュレータ１１によって第２コネクタ２０側への移動が規制される。
【００５９】  よって、インシュレータ２１の挿入部５２が固定インシュレータ１１とコンタクト保持部４１との間から引き抜かれる。これにより、コンタクト１４の接続部６５とコンタクト２４の接続部２４ｃとが離間し、コンタクト１４とコンタクト２４との電気的接続が切断される。
【００６０】  以上のように、実施形態に係る第１コネクタ１０は、弾性変形部６４が直線部である垂直部６４ａと、傾斜部６４ｃと、戻り部６４ｅと、平行部６４ｇとを有し、屈曲部６４ｂと、屈曲部６４ｄと、屈曲部６４ｆと、屈曲部６４ｈと、屈曲部６４ｉとを有する。また、コネクタ１００は、コンタクト配列方向Ｄ１から見た場合において、それぞれの屈曲部６４ｂ、屈曲部６４ｄ、屈曲部６４ｆ、屈曲部６４ｈ及び屈曲部６４ｉについて、幅方向の寸法が直線部の幅方向の寸法よりも小さい。このため、それぞれの屈曲部６４ｂ、屈曲部６４ｄ、屈曲部６４ｆ、屈曲部６４ｈ及び屈曲部６４ｉでは、直線部よりも弾性変形しやすくなる。このため、弾性変形部６４は、屈曲部６４ｂ、屈曲部６４ｄ、屈曲部６４ｆ、屈曲部６４ｈ及び屈曲部６４ｉが直線部よりも大きく弾性変形する。これにより、屈曲部６４ｂ、屈曲部６４ｄ、屈曲部６４ｆ、屈曲部６４ｈ及び屈曲部６４ｉにおいて弾性変形量を確保することができ、かつ、直線部において弾性変形部６４の形状を安定させることができる。これにより、弾性変形部６４において弾性変形する部位と形状を安定させる部位とが形成されるため、コンタクト１４の弾性変形部６４の挙動が安定したコネクタ１００を得ることができる。また、コンタクト１４は、弾性変形部６４全体の幅を小さくする場合に比べて、直線部である垂直部６４ａ、傾斜部６４ｃ、戻り部６４ｅ及び平行部６４ｇにおけるバルク抵抗が小さくなるため、電流容量を大きくすることができる。
【００６１】  また、実施形態に係る第１コネクタ１０において、屈曲部（屈曲部６４ｂ、屈曲部６４ｄ、屈曲部６４ｆ、屈曲部６４ｈ、屈曲部６４ｉ）は、幅方向の内周（内周６６ｂ、内周６６ｄ、内周６６ｆ、内周６６ｈ、内周６６ｉ）が、仮想円弧線（仮想円弧線Ｃｂ、仮想円弧線Ｃｄ、仮想円弧線Ｃｆ、仮想円弧線Ｃｈ、仮想円弧線Ｃｉ）に対して幅方向の外周（外周６７ｂ、外周６７ｄ、外周６７ｆ、外周６７ｈ、外周６７ｉ）側に凹んでいるため、コンタクト配列方向Ｄ１に平行な軸線回りの方向に安定して変形することができる。これにより、弾性変形部６４の挙動を安定させることができる。
【００６２】  また、実施形態に係る第１コネクタ１０は、接続部６５がコネクタ幅方向Ｄ２に延出する第１延出部６５ａを有し、弾性変形部６４がコネクタ幅方向Ｄ２に延出する第２延出部６４ｊと、屈曲部６４ｉとを有するため、第２延出部６４ｊが基板面１０１ａ側に延出する構成に比べて、弾性変形部６４の長さを確保することができる。このため、弾性変形部６４の柔軟性が向上する。
【００６３】  また、実施形態に係る第１コネクタ１０は、第２延出部６４ｊと第１延出部６５ａとがコネクタ幅方向Ｄ２の同一方向に延出するため、第２保持部６３から第２延出部６４ｊを基板面１０１ａ側に延出する構成に比べて、空間部４２を広く確保することができる。これにより、治具等を用いてコンタクト１４を溝部４１ｂに安定して挿入することができる。
【００６４】  また、実施形態に係る第１コネクタ１０は、弾性変形部６４が垂直部６４ａと、屈曲部６４ｂと、傾斜部６４ｃとを有するため、第２保持部６３が第１保持部６２に近づくように変形する場合であっても、傾斜部６４ｃの傾斜角度が大きくなり、傾斜部６４ｃの屈曲部６４ｄ側が接続部６５を基板面１０１ａ側に回避する。これにより、弾性変形部６４と接続部６５との干渉を回避しつつ、弾性変形部６４の柔軟性を確保することができる。
【００６５】  また、実施形態に係る第１コネクタ１０は、弾性変形部６４が平行部６４ｇと、屈曲部６４ｆと、屈曲部６４ｈとを有するため、平行部６４ｇがコネクタ幅方向Ｄ２に平行な状態を維持したままコネクタ幅方向Ｄ２に移動することができる。これにより、弾性変形部６４の挙動を安定させることができる。
【００６６】  また、実施形態に係る第１コネクタ１０は、屈曲部６４ｂ、屈曲部６４ｄ、屈曲部６４ｆ、屈曲部６４ｈ及び屈曲部６４ｉが、コンタクト配列方向Ｄ１に直交する平面内での内周側の形状が円弧状であるため、コンタクト配列方向Ｄ１に平行な軸線回りの方向に安定して変形することができる。これにより、弾性変形部６４の挙動を安定させることができる。
【００６７】  本発明の技術範囲は上記実施形態に限定されるものではなく、本発明の趣旨を逸脱しない範囲で適宜変更を加えることができる。例えば、上記実施形態では、屈曲部６４ｂ、屈曲部６４ｄ、屈曲部６４ｆ、屈曲部６４ｈ及び屈曲部６４ｉが、コンタクト配列方向Ｄ１から見た場合において、内周側の形状が円弧状である場合を例に挙げて説明したが、これに限定するものではなく、楕円の一部、曲線など、円弧状以外の形状であってもよい。
【００６８】  また、上記実施形態では、第２延出部６４ｊが第２保持部６３から第１保持部６２側に向けてコネクタ幅方向Ｄ２に平行に延出する構成を例に挙げて説明したが、これに限定するものではない。例えば、第２延出部６４ｊがコネクタ幅方向Ｄ２に対して傾いた方向に延出する構成であってもよいし、第２保持部６３から第１保持部６２とは反対側に向けて延出する構成であってもよい。
【符号の説明】
【００６９】Ｄ１  コンタクト配列方向Ｄ２  コネクタ幅方向Ｄ３  挿抜方向１０  第１コネクタ１１  固定インシュレータ１２，２２  金具１２ａ，２２ａ  実装部１２ｂ，２２ｂ  インシュレータ係止部１３  可動インシュレータ１４，２４  コンタクト２０  第２コネクタ２１  インシュレータ２４ａ，６１  実装部２４ｂ  係止部２４ｃ，６５  接続部３１，３２  壁部３１ｂ，３２ｂ  案内面３３，３４  梁部３３ａ，３４ａ  支持面４１，５１  コンタクト保持部４１ｂ，５１ｂ  溝部４２  空間部４３，４４  係止部５２  挿入部６２  第１保持部６３  第２保持部６４  弾性変形部６４ａ  垂直部６４ｂ，６４ｄ，６４ｆ，６４ｈ，６４ｉ，６５ｂ  屈曲部６４ｃ  傾斜部６４ｇ  平行部６４ｊ  第２延出部６５ａ  第１延出部６６ｂ，６６ｄ，６６ｆ，６６ｈ，６６ｉ  内周６５ｃ  先端部１００  コネクタ１０１  第１基板１０１ａ，１０２ａ  基板面１０２  第２基板
【図１】
0006766151.tif 000002
【図２】
0006766151.tif 000003
【図３】
0006766151.tif 000004
【図４】
0006766151.tif 000005
【図５】
0006766151.tif 000006
【図６】
0006766151.tif 000007
【図７】
0006766151.tif 000008
【図８】
0006766151.tif 000009
【図９】
0006766151.tif 000010
【図１０】
0006766151.tif 000011